(57)【要約】【課題】洗浄水を貯留するタンクを備えた便器の機能向上を図る。【解決手段】洗浄水タンク２００が内部に備える便器洗浄タンク装置２０７は、タンク内洗浄水に水没したジェットポンプ１３とこれに続く下流配管２１４とを有する。下流配管２１４は、スロート１３２から斜めに上昇した上昇管路２１４ｂと、その下流の下降管路２１４ｄを備え、出水口２１４ｅからリム通水路１６ｂに洗浄水を導く。ジェットポンプ１３は、その噴出洗浄水をタンク内洗浄水と共に下流配管２１４に押し込み、下流配管２１４にサイホン作用を誘発する。【選択図】        図２
2004156382.tif 000002
【特許請求の範囲】
【請求項１】
洗浄水を貯留するタンクを備え、該タンクから供給経路を経て導かれた洗浄水にて便器洗浄を図る便器であって、
前記タンク内の洗浄水を前記便器に送り込む際に、前記供給経路にサイホン作用を誘発して洗浄水を前記便器に導く、便器。
【請求項２】
請求項１記載の便器であって、
前記給水経路は、
前記タンクの洗浄水に水没した入水口と、
該入水口よりも低所に位置し、前記便器が有する洗浄水経路に連通する出水口と、
前記入水口から前記タンクの前記満水水位を超えるまで上昇してから前記出水口に到るよう降下した供給管路とを有し、
前記タンクは、
前記入水口に向けて前記タンク内の洗浄水を送り込んで、前記供給管路にサイホン作用を誘発する洗浄水給水機構を有する、便器。
【請求項３】
請求項２記載の便器であって、
前記供給管路は、
前記出水口の上流側に、前記出水口より低所から前記出水口に到り非洗浄時に洗浄水が貯め置かれるよう曲げられた管路構成を有する、便器。
【請求項４】
請求項２または請求項３記載の便器であって、
前記洗浄水給水機構は、
噴射ノズルを有し、前記タンク内の洗浄水に水没設置されたジェットポンプと、
前記噴射ノズルに作動用水を供給し、前記噴射ノズルから作動用水を噴出させる噴射ノズル用給水ユニットとを備え、
前記洗浄水タンク内の洗浄水を、前記噴射ノズルの洗浄水噴出に伴って前記入水口に流入させる、便器。
【請求項５】
請求項４記載の便器であって、
前記ジェットポンプは、
前記噴射ノズルに対向配置するスロートを前記入水口に連結させて備える、便器。
【請求項６】
請求項４または請求項５記載の便器であって、
前記噴射ノズル用給水ユニットは、前記噴射ノズルの側からの洗浄水逆流を防止する逆流回避弁を有する、便器。
【請求項７】
請求項１ないし請求項６いずれか記載の便器であって、
便器のボール部を上縁で取り囲むよう形成されたリムを備え、該リムから、前記ボール部表面に沿って洗浄水を吐出可能とされたリム吐水機構を有し、
前記供給経路を前記リム吐水機構と連結させた、便器。
【発明の詳細な説明】
【０００１】
【発明の属する技術分野】
本発明は、洗浄水を貯留するタンクを備え、該タンクから供給経路を経て導かれた洗浄水にて便器洗浄を図る便器に関するものである。
【０００２】
【従来の技術】
一般的な便器では、便器の上方位置に配設した洗浄水タンクに洗浄水を貯留し、便器への洗浄水吐出には落差を利用する手法が採られていた。ところが、近年では、このように洗浄水落差を単純に利用するだけでなく、種々の洗浄手法が提案されている。
【０００３】
こうした洗浄手法の一例は、上記のように洗浄水落差を利用して洗浄水吐出を行う際に、その流量増大を図る洗浄方式を提案している（例えば、特許文献１参照。）。この洗浄方式では、洗浄水タンク内に、噴射ノズルを有するジェットポンプを水没設置し、このジェットポンプからの洗浄水噴出に伴ってタンク内洗浄水を供給している。この洗浄方式では、単に落差を利用しただけの洗浄手法に比べて、洗浄水の吐出流量を増大させるので、タンク全般の小型化を可能としている。このようにタンクを小型化できることから、便器洗浄時の洗浄水の節水化を図ることができる。また、噴射ノズルに洗浄水をその給水源（例えば、水道管）から直に給水すればよいものの、その給水で作動用水を噴出すれば足りるので、比較的低い給水圧でも便器への洗浄水供給を実現させている。
【０００４】
【特許文献１】
国際公開第ＷＯ０１／２３６７８号パンフレット
【０００５】
【発明が解決しようとする課題】
しかしながら、このようにジェットポンプを利用する洗浄手法にあっても、改善の余地が残されており、更なる節水化や低給水圧での洗浄能力確保が求められつつある。
【０００６】
本発明は、上記問題点を解決するためになされ、洗浄水を貯留するタンクを備えた便器の機能向上を図ることをその目的とする。
【０００７】
【課題を解決するための手段およびその作用・効果】
かかる課題の少なくとも一部を解決するため、本発明の便器は、
洗浄水を貯留するタンクを備え、該タンクから供給経路を経て導かれた洗浄水にて便器洗浄を図る便器であって、
前記タンク内の洗浄水を前記便器に送り込む際に、前記供給経路にサイホン作用を誘発して洗浄水を前記便器に導く、
ことを特徴とする。
【０００８】
上記構成を有する本発明の便器では、タンクから便器に洗浄水を供給するに当たり、便器に到る供給経路にサイホン作用を誘発する。このため、誘発したサイホン作用によるタンク内洗浄水の強制的な吸引によって便器に洗浄水を供給するので、この強制吸引の分だけは、便器に到る洗浄水水勢を高めることができる。よって、高い水勢の洗浄水で便器洗浄を行うことができ、洗浄能力の向上を図ることができる。また、高い水勢を得ることができるので、洗浄水の節水化も図ることができる。更には、サイホン作用を誘発できるエネルギを洗浄開始当初に投入すれば足りることから、洗浄期間中に亘るような洗浄水給水のためのエネルギを必要とせず、その分、省エネルギとできる。このエネルギを洗浄水給水で得るのであれば、この給水量も減り節水化を進めることができる。
【０００９】
上記した本発明の便器は、以下の態様を採ることもできる。即ち、前記供給経路は、
前記タンクの洗浄水に水没した入水口と、
該入水口よりも低所に位置し、前記便器が有する洗浄水経路に連通する出水口と、
前記入水口から前記タンクの前記満水水位を超えるまで上昇してから前記出水口に到るよう降下した供給管路とを有し、
前記タンクは、
前記入水口に向けて前記タンク内の洗浄水を送り込んで、前記供給管路にサイホン作用を誘発する洗浄水給水機構を有するものとすることができる。
【００１０】
こうすれば、入水口と出水口の高低差、並びに洗浄水給水機構によるサイホン作用誘発により、確実にサイホン作用を誘発させて便器に洗浄水を供給でき好ましい。
【００１１】
また、前記供給管路は、
前記出水口の上流側に、前記出水口より低所から前記出水口に到り非洗浄時に洗浄水が貯め置かれるよう曲げられた管路構成を有するものとすることができる。
【００１２】
こうすれば、サイホン作用の誘発前では、供給管路は、管路の曲げ部分の貯め置き洗浄水と入水口側のタンク内洗浄水で管路内が塞がれてエアが残存していることになる。よって、この管路内残存エアを入水口からの洗浄水で出水側に押し出せば、供給管路にサイホン作用を誘発できる。このように管路の曲げ部分に貯め置き洗浄水が残存していると出水口からのエアの逆流を防止することができるので、管路がエア解放されている場合に比して、管路内エアの総てを入水口からの洗浄水で出水側に押し出し易くなる。この結果、供給管路でのサイホン作用誘発も容易となり好ましい。
【００１３】
また、前記洗浄水給水機構は、
噴射ノズルを有し、前記タンク内の洗浄水に水没設置されたジェットポンプと、
前記噴射ノズルに作動用水を供給し、前記噴射ノズルから作動用水を噴出させる噴射ノズル用給水ユニットとを備え、
前記洗浄水タンク内の洗浄水を、前記噴射ノズルの洗浄水噴出に伴って前記入水口に流入させるものとすることができる。
【００１４】
こうすれば、噴射ノズル用給水ユニットの供給した作動用水を噴射ノズルから噴出させ、この噴出洗浄水の入水口流入を引き起こし、これに伴うエジェクタ作用により洗浄水タンク内の洗浄水を入水口に流入させる。こうして入水口に流入した洗浄水は、供給管路内のエアを押し出し、供給管路にサイホン作用を確実に誘発する。よって、既述した高い水勢での洗浄水供給により、洗浄能力の向上や洗浄水の節水化等の効果を確実に奏することができる。しかも、一度サイホン作用の誘発が完了した後は噴射ノズル用給水ユニットから噴射ノズルへの作動用水供給を止めても、その後は、サイホン作用によりタンク内洗浄水を便器に供給できる。よって、作動用水供給量を少なくできるので、その分、節水化を進めることができる。
【００１５】
また、サイホン作用誘発の当初においては、噴射ノズルからの噴出洗浄水とタンク内洗浄水を合わせて供給管路に流し込むことができる。よって、便器への洗浄開始当初の洗浄水供給量を確実に増大させて、洗浄当初の水勢をより高めることができる。
【００１６】
このようにジェットポンプを採用するに際して、噴射ノズルに対向配置するスロートを前記入水口に連結させるようにすることができる。こうすれば、噴出ノズルからの噴出洗浄水（作動用水）は、噴射ノズルに対向配置したスロートに減速することなく直接流入する。しかも、噴出洗浄水がスロートからそれて流れるような事態を起こさない。これにより、エジェクタ作用が高い効率で誘起され、洗浄水タンク内に水没設置されたジェットポンプ周辺のタンク洗浄水は、噴射ノズルの洗浄水噴出に伴って吸引されてスロートに流入する。そして、このスロート以降では、噴出洗浄水とスロート流入のタンク洗浄水とが供給管路に流れ込んで上記したサイホン作用をより確実に誘発する。
【００１７】
また、噴射ノズル用給水ユニットにあっては、噴射ノズルの側からの洗浄水逆流を防止する逆流回避弁を有するものとすることができる。こうすれば、洗浄水タンクの洗浄水がジェットポンプを経て噴射ノズル用給水ユニット並びにその上流の一次側給水管の側への逆流を回避できる。この場合、逆流回避弁としては、弁内部を大気解放するいわゆるバキュームブレーカとすることが簡便である。
【００１８】
また、洗浄水の供給を受ける便器については、便器のボール部を上縁で取り囲むよう形成されたリムを備え、該リムから、前記ボール部表面に沿って洗浄水を吐出可能とされたリム吐水機構を有するものとし、
前記供給経路を前記リム吐水機構と連結させることもできる。
【００１９】
こうすれば、タンクからリム吐水機構に支障なくタンク洗浄水を通水して、リム吐水により便器洗浄を図ることができる。また、既存の便器に対して本発明のタンクを適用でき、性能向上を図ることができる。
【００２０】
【発明の実施の形態】
次に、本発明の実施の形態を実施例に基づき説明する。図１は実施例の便器１０を設置したトイレ室内を示す斜視図、図２は便器１０とその洗浄水タンク２００を縦断面視し洗浄水貯留の様子やジェットポンプ１３の配設の様子等を説明するための説明図、図３はタンク要部を水平断面視して内部の機器配置を説明するための説明図、図４は同じくタンク要部を縦断面視して内部の機器配置を説明するための説明図である。
【００２１】
図示するように、便器１０は、ボール部１１の上縁に便座１１ａおよび便蓋１４を備えており、トイレ室内のほぼ中央に設置されている。この便器１０後部のトイレ室内の奥側には、トイレ用収納ボックス４０が設けられている。なお、便座１１ａを、局部洗浄機能付きの洗浄便座とすることもできる。
【００２２】
トイレ用収納ボックス４０は、内部に、後述する洗浄水タンク２００やトイレ洗浄用の図示しない洗浄器具等を収納配置するとともに、トイレットペーパなどを収納する。そして、このトイレ用収納ボックス４０は、便器１０の後部に立設配置された前面パネル５０と、その左右両側に配置された右キャビネット６０Ｒおよび左キャビネット６０Ｌを備える。キャビネット上面中央部は、手洗カウンタ８０とされており、手洗カラン８１から吐出した洗浄水を受ける手洗シンク８２が組み込まれている。
【００２３】
手洗カウンタ８０の下方は、洗浄水タンク２００の収納領域とされ、当該タンクおよび手洗カラン８１や上記の洗浄器具には、トイレ用収納ボックス内で給水配管がなされている。なお、便器１０は、便器後部に図示しないタンク取付部を備え、洗浄水タンク２００は、このタンク取付部に載置・固定されている。
【００２４】
便器１０は、陶器製のサイホン式便器であり、図２に示すように、ボール部１１と、一端がボール部１１の底部に連通するサイホントラップ１５とを有する。また、便器洗浄に際してボール部１１に洗浄水を吐出するための構成として、ボール部１１の上端周縁を取り囲み内部に環状のリム通水路１６ｂを有するリム１６を備える。リム通水路１６ｂの底壁には、周方向に間隔を隔てて、多数の吐水孔１６ａが形成されており、この吐水孔１６ａからボール部壁面に洗浄水を吐水する。サイホントラップ１５は、その他端を図示しない排水管に接続させており、トラップ内が満水状態となるとサイホン作用を発揮して、ボール部１１の排泄汚物をボール内の溜水並びに供給洗浄水と共に排水管に排出する。
【００２５】
洗浄水タンク２００は、その内部領域２０５に、便器洗浄タンク装置２０７を収納・配置している。この便器洗浄タンク装置２０７は、図示しない給水源（水道管）に接続された一次側配管２０をタンクの内部領域２０５に直接引き入れている。１次側配管２０は止水弁９に接続される。便器洗浄タンク装置２０７は、この止水弁以降の管路に、減圧弁２１、フラッシュバルブ２１１並びに配管１２を備え、配管１２をジェットポンプ１３の噴射ノズル１３１に接続させている。
【００２６】
このように減圧弁２１をジェットポンプ上流に設けたので、次の利点がある。減圧弁２１はその管路を流れる洗浄水流を一定流量とするのみならず、下流のジェットポンプ１３に洗浄水供給を図るに当たり、一定水圧での洗浄水供給とする。本実施例の便器１０は、後述するように低給水圧下での好適な便器への洗浄水供給・洗浄能力向上を図るものであることから、減圧弁２１による給水の低圧化により、本実施例の便器の適用地域を拡大することができる。
【００２７】
図２に示すように、ジェットポンプ１３は、斜め上方を指向して洗浄水タンク２００の貯留洗浄水に水没設置されている。そして、スロート１３２には、その指向向きに合わせて後述の下流配管２１４が接続されている。なお、ジェットポンプ１３を含む便器への洗浄水供給系の説明に先立ち、給水系について説明する。
【００２８】
フラッシュバルブ２１１は、二次側通路に、バキュームブレーカ２１２を有する。よって、何らかの原因（例えば、フラッシュバルブ２１１上流の一次側管路での負圧発生等）でジェットポンプ１３の側からフラッシュバルブ２１１の側に向けた洗浄水の逆流が起きても、バキュームブレーカ２１２によりその逆流は解消される。なお、フラッシュバルブ２１１を始めとする上記弁は、図示するように、洗浄水満水水位ＷＳより上方位置に固定されている。
【００２９】
このフラッシュバルブ２１１の開弁用ノブ２１３は、正逆回転動作を直進動作に変換する変換機構部２２０と接続されている。この変換機構部２２０は、回転伝達体２２１を備え、この回転伝達体２２１は、図１の前面パネル５０に設けられ洗浄時に操作される操作ハンドル２５に追従して正逆回転するようにされている。よって、変換機構部２２０は、操作ハンドル２５の正逆回転を、回転伝達体２２１および回転軸２２２を介して受けると、開弁用ノブ２１３を押し込むように構成されている。フラッシュバルブ２１１は、この開弁用ノブの押し込みにより、二次側、即ちジェットポンプ１３の側に洗浄水（水道水）を供給する。この場合、操作ハンドル２５並びに回転伝達体２２１は、大便時の洗浄と小用時の洗浄でその回転方向が異なるようにされている。そして、回転軸２２２には、後述の開閉蓋２２３を小用時のハンドル回転操作の場合に限って駆動させるためのリンク機構部２２４が組み込まれている。
【００３０】
上記のように開弁されるフラッシュバルブ２１１は、その内部の弁構成において既存のものと変わるところはなく、一次側と二次側の圧力均衡により自閉する構成を有する。そして、大便後の洗浄（大洗浄）・小用後の洗浄（小洗浄）のいずれであっても、フラッシュバルブ２１１は、定められた時間だけ開弁状態を維持した後に閉弁（自閉）し、所定量の洗浄水（水道水）をジェットポンプ１３に供給する。
【００３１】
また、便器洗浄タンク装置２０７は、止水弁９の直下から分岐した、即ち止水弁筐体から分岐した補給管路を有し、この管路をボールタップ１１５に接続させている。ボールタップ１１５は、浮玉１１７の浮沈により洗浄水タンク２００の内部領域２０５に洗浄水の補給を図り、非洗浄時においてタンク内水位を洗浄水満水水位ＷＳに維持する。なお、タンク内水位がこの洗浄水満水水位ＷＳとなると、ボールタップ１１５は、洗浄水補給を停止するよう構成されている。
【００３２】
この他、便器洗浄タンク装置２０７は、内部領域２０５に、ジェットポンプ１３を取り囲むポンプ区画容器２２５を有する。このポンプ区画容器２２５は、上端が解放された有底のものとされ、タンク底部に固定されている。ポンプ区画容器２２５は、回転伝達体２２１側の側面に通水開口２２６と、開口下方に軸支された開閉蓋２２３と、蓋に固定された錘２２７とを有する。通水開口２２６は、この開閉蓋２２３により、開閉される。
【００３３】
ポンプ区画容器２２５は、内部領域２０５に貯留された洗浄水に水没されており、その上端は、洗浄水の満水水位ＷＳより低くされている。また、通水開口２２６は、洗浄終了時における洗浄水の最低水位ＷＬが開口部内に位置するよう、形成されている。従って、開閉蓋２２３は、通水開口２２６の図示する解放姿勢を採る間にあっては、タンク貯留洗浄水を、ポンプ区画容器２２５の内部に通水可能とする。これにより、ジェットポンプ１３では、図示する満水水位ＷＳと最低水位ＷＬの間における貯留洗浄水がスロート１３２に流入可能となる。その一方、開閉蓋２２３は、開口閉鎖姿勢を採る間にあっては、通水開口２２６を経た洗浄水通水を不可とする。これにより、ジェットポンプ１３では、満水水位ＷＳからポンプ区画容器２２５上端までの間のタンクの内部領域２０５の洗浄水と、ポンプ区画容器２２５上端から最低水位ＷＬの間におけるポンプ区画容器２２５内の洗浄水とが流入可能となり、通水開口解放時より少量となる。
【００３４】
開閉蓋２２３は、鎖２２８により、リンク機構部２２４の開閉操作桿２２９と連結されている。リンク機構部２２４は、回転伝達体２２１が小洗浄の回転方向に操作されるときに限って開閉操作桿２２９を回転軸２２２の軸回りにスイングさせて、開閉蓋２２３を持ち上げる。これにより、通水開口２２６は、開閉蓋２２３で閉鎖される。また、リンク機構部２２４は、オイルダンパー、ギヤ等を含む遅延駆動機構を内蔵し、この駆動機構により、所定時間、詳しくは小洗浄開始から小洗浄終了までの時間に亘って開閉操作桿２２９の姿勢を維持し、その後、開閉操作桿２２９を図示する元の位置に戻すよう構成されている。よって、回転伝達体２２１が小洗浄操作を受けて駆動すると、上記した通水開口２２６の閉鎖により、スロート１３２に流入可能な洗浄水量は、少量に制限される。なお、開閉操作桿２２９が元の位置に戻される際は、開閉蓋２２３は、錘２２７の重みが作用することから、速やかに通水開口２２６の閉鎖位置から離れ、当該開口を解放する。
【００３５】
次に、洗浄水タンク２００から便器への洗浄水供給系について説明する。図５はジェットポンプ１３を断面視してその構成を示す説明図である。
【００３６】
便器への洗浄水供給系は、フラッシュバルブ２１１下流の配管１２と、当該配管から作動用水の供給を受けるジェットポンプ１３と、このジェットポンプからの洗浄水を便器に導く下流配管２１４とを含む。ジェットポンプ１３は、噴射ノズル１３１とこのノズルに正対配置するスロート１３２とを有する。噴射ノズル１３１は、ノズル部先端の外観をなす外側円筒１３１ａと、外側円筒１３１ａと同軸に配設された中空の内側円筒１３１ｂとを備えている。外側円筒１３１ａは、ノズル先端側が小径のテーパ形状とされており、大径側にフランジ１３１ｇを一体に備える。内側円筒１３１ｂは、フランジ１３１ｇから下方に延びたカップ状の底部壁１３１ｅにより、外側円筒１３１ａに対して位置決め支持されている。噴射ノズル１３１は、このような構造を採ることで、外側円筒１３１ａと内側円筒１３１ｂ並びに底部壁１３１ｅで囲まれた領域を、内側円筒１３１ｂを取り囲む円筒状の流路１３１ｃとする。
【００３７】
また、噴射ノズル１３１は、外側円筒１３１ａの小径側端部と内側円筒１３１ｂの一方の端部との間の間隙を、連続した円環状の噴出口１３１ｄとすると共に、この噴出口を上流の流路１３１ｃより狭小化された幅の開口としている。更に、内側円筒１３１ｂの中空部を、噴射ノズル１３１を貫通する貫通流路１３１ｈとし、この貫通流路を上記の円環状の噴出口１３１ｄで取り囲んで備える。そして、噴射ノズル１３１は、既述した配管１２の端部をカップ状の底部壁１３１ｅの開口１３１ｆに接続して配管１２に固定され、噴出口１３１ｄが斜め上方へ差し向けられた姿勢を採る。
【００３８】
この噴射ノズル１３１に対向するスロート１３２は、洗浄水流入側開口にノズル噴出口が入り込むよう近接配置されている。この噴射ノズル１３１とスロート１３２は、フランジ１３１ｇ上面に等ピッチで立設された固定脚１３１ｋにネジ止めすることで固定され、アッシー品とされている。そして、スロート１３２は、噴射ノズル１３１からの噴出洗浄水の流れ（噴流）に沿った姿勢を採り、この噴流の中心（噴出口１３１ｄの中心）とスロート管路中心を略一致させている。
【００３９】
上記構成のジェットポンプ１３は、噴射ノズル１３１の噴出口１３１ｄとスロート１３２の下端フランジ１３２ｅとの間の隙間Ｓからタンク内洗浄水をスロート１３２に流入させる。また、ポンプ周囲のタンク洗浄水を、貫通流路１３１ｈを経てスロート１３２に流入させる。
【００４０】
この場合、ジェットポンプ１３では、貫通流路１３１ｈ周りの内側円筒１３１ｂを、外側円筒１３１ａ上端より突出させた。このため、噴出口１３１ｄから噴出された噴流洗浄水は、噴出口１３１ｄ以降において貫通流路１３１ｈの突出部に案内されてスロート１３２に流入する。よって、このジェットポンプ１３によれば、噴流洗浄水をその流れに乱れを起こすことなくスロート１３２に流入させることができるので、図中白抜き矢印Ａで示すようなタンク内洗浄水の吸引効率を高めることができ、これにより、ジェットポンプ１３の洗浄水吐出流量の増大性能を高めることができる。
【００４１】
上記したジェットポンプ１３からそのスロート１３２を経て洗浄水が流れ込む下流配管２１４は、次のような経路を採る。即ち、図１に示すように、下流配管２１４は、タンク洗浄水に水没した入水口２１４ａでスロート１３２に接続され、ジェットポンプ１３の噴出指向に沿って斜めに上昇した上昇管路２１４ｂを有する。下流配管２１４は、洗浄水満水水位ＷＳを越えて上昇した上昇管路２１４ｂの上昇端にて湾曲し、その湾曲部２１４ｃから下方に延びた下降管路２１４ｄを備え、その管路末端を出水口２１４ｅとする。
【００４２】
出水口２１４ｅは、入水口２１４ａよりも低所に位置し、便器１０のリム通水路１６ｂとほぼ同じ高さとされている。この出水口２１４ｅの上流側は、図示するように下向きに凸となるような下方湾曲管路２１４ｆとされ、この下方湾曲管路２１４ｆは、出水口２１４ｅより低所から当該出水口に至り、その管路頂上部２１４ｇがタンク底面より下方に位置するようにされている。よって、この下方湾曲管路２１４ｆには、非洗浄時に洗浄水が貯め置かれることになる。
【００４３】
下流配管２１４は、出水口２１４ｅ側にフランジ２１５を備え、端部に、固定用の突出爪部２１６を有する。そして、下流配管２１４は、出水口２１４ｅをリム通水路１６ｂに突出爪部２１６にてほぼ水平に連通させている。リム通水路１６ｂとの接続に際しては、突出爪部２１６をリム後端の固定孔１６ｄに嵌め込み、爪先端の顎部を固定孔周壁に引っかける。なお、下流配管２１４は、上記した経路を採るに当たり洗浄水タンク２００を貫通するが、その貫通箇所は、ゴムブッシュ２１４ｈにて水密化が図られている。
【００４４】
ここで、本実施例に係る便器１０の作動状況について説明する。
図２に示すように、便器洗浄前（用便前）にあっては、次回の用便・洗浄に備えて、ボール部１１並びに洗浄水タンク２００に所定の洗浄水が貯留されている。つまり、ボール部１１では、サイホントラップ１５の管路頂上の湾曲堰部で定まる水位で、溜水Ｗ１が溜められている。洗浄水タンク２００では、既述した浮玉１１７並びにボールタップ１１５で維持される水位（満水水位ＷＳ）で洗浄水Ｗ２が溜められている。
【００４５】
前面パネル５０の操作ハンドル２５が大洗浄用の方向に回転操作されると、便器洗浄タンク装置２０７では、通水開口２２６が閉鎖されないまま、フラッシュバルブ２１１が開弁する。これにより、図示しない水道配管から便器洗浄タンク装置２０７への水道水通水が開始され、この水道水は、フラッシュバルブ２１１、配管１２を通って、ジェットポンプ１３の噴射ノズル１３１へ供給される。つまり、水道配管からの水道水がジェットポンプ１３の作動用水として供給される。本実施例では、減圧弁２１を介在させてフラッシュバルブ２１１以降への水道水給水圧を制限し、当該給水圧を約０．０４〜０．０７ＭＰａ（約０．４〜０．７ｋｇｆ／ｃｍ２  ）程度とする。つまり、こうした低給水圧での便器洗浄を図るのである。
【００４６】
噴射ノズル１３１へ供給された水道水は、図５に矢印Ｘで示すように、噴射ノズル１３１の円筒状流路１３１ｃを通り、噴出口１３１ｄから円筒状の噴流となって噴出する。この噴出口１３１ｄは、その下流の円筒状流路１３１ｃより通路幅が狭小化されているので、円筒状の噴流は、その流速が増速された高速噴流となる。
【００４７】
このようにして噴出口１３１ｄから洗浄水が噴出されると、その噴出状況が円筒状の高速噴流であることから、図５に矢印Ｙで示すように、円筒状噴流の内側において洗浄水の引き込みが起きる。そして、この噴流の内側では、噴射ノズル１３１を貫通する洗浄水の貫通流路１３１ｈが存在することから、ジェットポンプ周囲の洗浄水Ｗ２が貫通流路１３１ｈ下端開口から流路内部に引き込まれて連行される。これにより、噴射ノズル１３１からスロート１３２に向けては、噴出口１３１ｄからの円筒状の高速噴流の噴出洗浄水と、この噴出洗浄水に連行された洗浄水Ｗ２とが噴出されることになる。この噴流洗浄水と連行洗浄水は、噴射ノズル１３１とスロート１３２の正対配置関係から、減速を起こすことなくスロート１３２に流入する。
【００４８】
また、噴出口１３１ｄからの円筒状噴流の洗浄水のスロート１３２への流入により、上記の円筒状噴流Ｘの外側において洗浄水の引き込みが起きる。この引き込みは、図示する隙間Ｓが流入口１３２ａ回りの全方位に解放されていることから、流入口全方位で起きる。この際、スロート１３２へは、噴流洗浄水に加えて上記の連行洗浄水も流入する。よって、スロート１３２への洗浄水流入は、その水量増大が図られた状態のものとなると共に上記したように減速を起こさないので、円筒状噴流の外側における洗浄水の引き込みは増大され、これによる連行洗浄水量も多くなる。そして、円筒状の高速噴流の洗浄水（水道水）とその内外で上記のように連行された洗浄水Ｗ２とが一体となって、図５で白抜き矢印Ａで示すように、スロート１３２へ吸引される。この高速噴流の洗浄水（水道水）と洗浄水Ｗ２との混合流体は、管路部１３２ｃを通ってスロート１３２から吐出し、延いてはジェットポンプ１３から吐出する。
【００４９】
ジェットポンプ１３から吐出した水道水と洗浄水Ｗ２との混合流体は、上昇傾斜した下流配管２１４の上昇管路２１４ｂへ流入し、当該管路内のエアをリム通水路１６ｂの側に押し流す。こうなると、下流配管２１４はその管路が満水化するので、下流配管２１４には、サイホン作用が誘発される。このため、誘発したサイホン作用により、タンク内の洗浄水Ｗ２は、下流配管２１４に強制的に吸引されて、便器１０のリム通水路１６ｂに供給される。よって、ジェットポンプ１３による洗浄水噴出に加え、この強制吸引の分だけは、便器１０に到る洗浄水水勢を高めることができる。この結果、本実施例の便器１０によれば、高い水勢の洗浄水で便器洗浄（大洗浄）を行うことができ、洗浄能力の向上を図ることができる。また、高い水勢を得ることができるので、洗浄水の節水化も図ることができる。更には、サイホン作用を誘発できるに足りる短時間だけジェットポンプ１３に作動用水を供給すればよいので、作動用水供給のためのエネルギの抑制、引いては、洗浄水の節水化を進めることができる。
【００５０】
こうしてリム通水路１６ｂに流入した洗浄水（混合流体）は、ボール部１１へ吐出され、溜水Ｗ１をサイホントラップ１５の側に押し流し、サイホントラップ１５を満水にする。サイホントラップ１５が満水になると、サイホン作用が発生するので、ボール部１１へ吐出された水道水と洗浄水Ｗ２との混合流体と、溜水Ｗ１と、溜水Ｗ１中の汚物とは、サイホントラップ１５を通って一気に便器１０から便器外部に排出される。
【００５１】
本実施例では、上記したような極めて低い給水圧であっても、既存のサイホントラップ式の便器と同等以上の便器洗浄能力を発揮できた。よって、低給水圧地域においても本実施例の便器１０を設置できることになり、その適用範囲を拡大することができる。
【００５２】
また、下流配管２１４の設置に際しては、その入水口２１４ａと出水口２１４ｅに既述した高低差を設けた。よって、下流配管２１４におけるサイホン作用を確実に誘発して、洗浄水を高い水勢で便器１０に供給でき、好ましい。
【００５３】
しかも、下流配管２１４の出水口２１４ｅの手前に下方湾曲管路２１４ｆを設けて当該管路部分に洗浄水を貯め置くようにした。このため、ジェットポンプ１３からの洗浄水噴出に伴うサイホン作用誘発時においては、下方湾曲管路２１４ｆより上流の管路に封止したエアを押し出せばよい。このようにエアが封止された状況では、封止エア部分の前後管路で水柱が存在することから、当該エアの押し出しは、エアが封止されておらず前後に水柱が存在しない場合に比べて容易である。このため、本実施例の１０によれば、下流配管２１４におけるサイホン作用誘発も容易となり好ましい。
【００５４】
また、下流配管２１４でのサイホン作用誘発に、噴射ノズル１３１とスロート１３２とを有するジェットポンプ１３を用いたので、下流配管２１４からのエア押し出しとこれに伴うサイホン作用誘発の確実化を実現できる。よって、既述した高い水勢での洗浄水供給により、洗浄能力の向上や洗浄水の節水化等の効果を確実に奏することができる。しかも、噴射ノズル１３１への作動用水供給を下流配管２１４でのサイホン作用の誘発完了とほぼ同時に止めても、その後は、サイホン作用によりタンク内洗浄水を便器１０に供給できる。よって、作動用水供給量を少なくできるので、その分、節水化を進めることができる。
【００５５】
また、サイホン作用誘発の当初においては、噴射ノズル１３１からの噴出洗浄水とタンク内洗浄水を合わせて下流配管２１４に流し込むことができる。よって、便器１０への洗浄開始当初の洗浄水供給量を確実に増大させて、洗浄当初の水勢をより高めて洗浄能力の向上を図ることができる。
【００５６】
タンク内の洗浄水の供給が進み、洗浄水タンク２００内の洗浄水Ｗ２の水位がスロート１３２と噴射ノズル１３１との間隙Ｓに達すると、スロート１３２への空気の吸込により下流配管２１４におけるサイホン作用は消失する。こうなると、それ以上のタンク内からの洗浄水供給は停止し、便器１０へは、下流配管２１４に残存している洗浄水が流れ込む。この洗浄水は、便器洗浄後のボール部１１における溜水Ｗ１となる。
【００５７】
フラッシュバルブ２１１は、所定量の水道水を流すと自動的に閉じる。ジェットポンプ１３への水道水の供給が停止し、ジェットポンプ１３の作動が停止する。このフラッシュバルブ２１１の停止タイミング、即ち水道水給水停止のタイミングは、上記したように下流配管２１４でサイホン作用が誘発された頃を見計らって調整されている。このタイミング調整には、溜水水量やジェットポンプ１３による流量増大程度、便器洗浄に用いる総洗浄水量等が考慮され、これらに基づいたタイミングで停止するようフラッシュバルブ２１１が設計・製造される。
【００５８】
この便器１０での小洗浄は、次のようになる。前面パネル５０の操作ハンドル２５が小洗浄用の方向に逆向きに回転操作されると、上記の大洗浄の場合と同様にフラッシュバルブ２１１が開弁してジェットポンプ１３への洗浄水供給が開始される。これと同時に、通水開口２２６が閉鎖されてスロート１３２への流入洗浄水量が制限される。つまり、通水開口２２６の閉鎖により、既述したように、この場合の洗浄水水量は、満水水位ＷＳからポンプ区画容器２２５上端までの間の内部領域２０５内の洗浄水と、ポンプ区画容器２２５上端から最低水位ＷＬの間におけるポンプ区画容器２２５内の洗浄水との総和に制限される。よって、フラッシュバルブ２１１の開弁によりジェットポンプ１３からの上記混合流体吐出および下流配管２１４でのサイホン作用誘発がなされるものの、その吐出洗浄水量は、スロート流入量制限により少量に制限される。この小洗浄時にあっても、ジェットポンプ吐出洗浄水は、下流配管２１４並びにリム通水路１６ｂを経て、吐水孔１６ａからボール部１１に吐出される。
【００５９】
このため、本実施例の便器１０によれば、操作ハンドル２５の操作状況に応じて、小用後では少量の洗浄水で便器洗浄を行い、大便後ではこれより多めの水量の洗浄水で便器洗浄を行うことができる。よって、本実施例の便器１０では、用便の大小種類に応じた水量で便器洗浄を実行できる。
【００６０】
なお、上記の実施例において、大小洗浄時における洗浄水総量設定を行わないようにすることもできる。この場合は、リンク機構部２２４やポンプ区画容器２２５とこれらに付随した開閉蓋２２３等の流量設定に関与する部材を省略し、ジェットポンプ１３をタンク内洗浄水に直接水没設置すればよい。
【００６１】
次に、変形例について説明する。図６は変形例を説明するため便器を断面視した説明図、図７は別の変形例を説明するための便器を断面視した説明図である。
【００６２】
図６に示す変形例の便器１０は、下流配管２１４の下降管路２１４ｄを出水口２１４ｅに単純に降下した経路とした。この変形例にあっても、下流配管２１４におけるサイホン作用誘発に伴う効果を奏することができる。
【００６３】
図７に示す変形例の便器１０は、下流配管２１４の下降管路２１４ｄを出水口２１４ｅに単純に降下した経路とした上で、出水口２１４ｅをリム通水路１６ｂに上方から接続させている。この変形例にあっても、下流配管２１４におけるサイホン作用誘発に伴う効果を奏することができる。
【００６４】
以上本発明の実施例について説明したが、本発明は上記の実施例や実施形態になんら限定されるものではなく、本発明の要旨を逸脱しない範囲において種々なる態様で実施し得ることは勿論である。
【００６５】
例えば、便器１０については、リム通水路１６ｂを有し吐水孔１６ａからボール部１１に洗浄水を給水するものとしたが、これに限るわけではない。つまり、タンクから給水された洗浄水を、ボール部１１の溜水Ｗ１に直接導いて、ボール部溜水をサイホントラップ１５に押し込む洗浄方式の便器に適用することもできる。
【図面の簡単な説明】
【図１】実施例の便器１０を設置したトイレ室内を示す斜視図である。
【図２】便器１０とその洗浄水タンク２００を縦断面視し洗浄水貯留の様子やジェットポンプ１３の配設の様子等を説明するための説明図である。
【図３】タンク要部を水平断面視して内部の機器配置を説明するための説明図である。
【図４】同じくタンク要部を縦断面視して内部の機器配置を説明するための説明図である。
【図５】ジェットポンプ１３を断面視してその構成を示す説明図である。
【図６】変形例を説明するため便器を断面視した説明図である。
【図７】別の変形例を説明するための便器を断面視した説明図である。
【符号の説明】
９…止水弁
１０…便器
１１…ボール部
１１ａ…便座
１２…配管
１３…ジェットポンプ
１４…便蓋
１５…サイホントラップ
１６…リム
１６ａ…吐水孔
１６ｂ…リム通水路
１６ｄ…固定孔
２０…一次側配管
２１…減圧弁
２５…操作ハンドル
４０…トイレ用収納ボックス
５０…前面パネル
６０Ｌ…左キャビネット
６０Ｒ…右キャビネット
８０…手洗カウンタ
８１…手洗カラン
８２…手洗シンク
１１５…ボールタップ
１１７…浮玉
１３１…噴射ノズル
１３１ａ…外側円筒
１３１ｂ…内側円筒
１３１ｃ…流路
１３１ｄ…噴出口
１３１ｅ…底部壁
１３１ｆ…開口
１３１ｇ…フランジ
１３１ｈ…貫通流路
１３１ｋ…固定脚
１３２…スロート
１３２ｃ…管路部
１３２ｅ…下端フランジ
２００…洗浄水タンク
２０５…内部領域
２０７…便器洗浄タンク装置
２１１…フラッシュバルブ
２１２…バキュームブレーカ
２１３…開弁用ノブ
２１４…下流配管
２１４ａ…入水口
２１４ｂ…上昇管路
２１４ｃ…湾曲部
２１４ｄ…下降管路
２１４ｅ…出水口
２１４ｆ…下方湾曲管路
２１４ｇ…管路頂上部
２１４ｈ…ゴムブッシュ
２１５…フランジ
２１６…突出爪部
２２０…変換機構部
２２１…回転伝達体
２２２…回転軸
２２３…開閉蓋
２２４…リンク機構部
２２５…ポンプ区画容器
２２６…通水開口
２２７…錘
２２８…鎖
２２９…開閉操作桿
Ｗ１…溜水
Ｗ２…洗浄水
ＷＬ…最低水位
ＷＳ…満水水位
【図１】
2004156382.tif 000003
【図２】
2004156382.tif 000004
【図３】
2004156382.tif 000005
【図４】
2004156382.tif 000006
【図５】
2004156382.tif 000007
【図６】
2004156382.tif 000008
【図７】
2004156382.tif 000009